【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
サービスエリア識別情報（ＳＡＩ）と第２の周波数とに関連するマルチメディアブロードキャストマルチキャストサービス（ＭＢＭＳ）サービスを受けるべく要求を受信することと、
第１の周波数において送信している第１のセルから前記第２の周波数において送信している第２のセルへのインター周波数セル再選択を実施することと、前記第２のセルが、前記第１のセルに対するインター周波数ネイバーセルである、
前記第２のセルからシステム情報を受信することと、
前記受信されたシステム情報に基づいて、前記第２の周波数において送信している前記第２のセルが前記ＳＡＩに関連しないと決定することと、
を備え、
前記第２のセルが前記ＳＡＩに関連しないと決定すると、少なくともある時間期間の間、ブラックリスト中に前記第２の周波数に関する前記ＳＡＩをブラックリストすること、
によって特徴付けられる、
ワイヤレス通信の方法。
【請求項２】
ユーザ機器（ＵＥ）のモビリティと前記第１および第２のセルの信号品質とに基づいて、前記第２の周波数において送信している前記第２のセルから前記第１の周波数において送信している前記第１のセルへのインター周波数セル再選択を実施することと、
前記第２の周波数に関する前記ＳＡＩがブラックリストされている場合、前記第１のセルのインター周波数ＳＡＩリストから前記第２の周波数に関する前記ＳＡＩを除外した、前記第２の周波数に関連する前記第１のセルの前記インター周波数ＳＡＩリスト、および前記第１の周波数に関連する前記第１のセルのイントラ周波数ＳＡＩリストを、報告することと
をさらに備える、請求項１に記載の方法。
【請求項３】
前記ＵＥのモビリティと前記第１のセルおよび第３のセルの信号品質とに基づいて、前記第１の周波数において送信している前記第１のセルから前記第２の周波数において送信している前記第３のセルへのインター周波数セル再選択を実施することと、前記第３のセルが、前記第１のセルに対するインター周波数ネイバーセルである、
ブラックリストタイマーを停止することと、前記第３のセルのシステム情報が前記第３のセルのイントラ周波数ＳＡＩリスト中に前記第２の周波数に関する前記ＳＡＩを含む場合、前記ブラックリストから前記第２の周波数に関する前記ＳＡＩを削除することと、
前記第２の周波数に関する前記ＳＡＩを除外することなしに、前記第２の周波数に関連する前記第３のセルの前記イントラ周波数ＳＡＩリストを、および前記第３のセルの前記インター周波数ネイバーの各々に関連する前記第３のセルのインター周波数ＳＡＩリストを、報告することと
をさらに備える、請求項２に記載の方法。
【請求項４】
前記第２の周波数に関する前記ＳＡＩがブラックリストされたとき、ブラックリストタイマーを開始することをさらに備え、
ここにおいて、前記ブラックリストタイマーが満了したとき、前記方法は、
現在のサービングセルが前記現在のサービングセルのシステム情報中に前記第２の周波数に関する前記ＳＡＩを含むかどうかを決定することと、
前記現在のサービングセルが前記現在のサービングセルの前記システム情報中に前記第２の周波数に関する前記ＳＡＩを含む場合、前記第２の周波数に関する前記ＳＡＩを除外することなしに、前記現在のサービングセルのサービング周波数に関連するイントラ周波数ＳＡＩリストと、各ネイバーセルの周波数に関連するインター周波数ＳＡＩリストとを報告することと
をさらに備える、請求項１に記載の方法。
【請求項５】
前記ブラックリストタイマーの持続時間がユーザ機器（ＵＥ）のモビリティに従って構成され、前記ＵＥの前記モビリティが前記ＵＥの移動履歴に基づいて決定される、請求項４に記載の方法。
【請求項６】
前記第２のセルが前記第２の周波数に関する前記ＳＡＩに関連しないと前記決定することは、
前記第２のセルのイントラ周波数ＳＡＩリストが前記第２の周波数に関する前記ＳＡＩを含まないと決定すること
を備える、請求項１に記載の方法。
【請求項７】
前記要求されたＭＢＭＳサービスと対応する前記第２の周波数が前記第２のセルの前記第２の周波数と同じであると決定すると、前記第１のセルから前記第２のセルへの前記インター周波数セル再選択を実施することの前に、アクティブ化タイマーを開始することをさらに備え、
ここにおいて、前記第２のセルが再選択された後に、前記ＳＡＩが前記第２のセルの前記第２の周波数のイントラ周波数ＳＡＩリスト中に含まれる場合、前記第２の周波数に関する前記ＳＡＩがブラックリストされず、
ここにおいて、前記アクティブ化タイマーが満了し、前記要求されたＭＢＭＳサービスが前記第２のセル中で提供されないとき、アクティブ化失敗が報告される、請求項１に記載の方法。
【請求項８】
サービスエリア識別情報（ＳＡＩ）と第２の周波数とに関連するマルチメディアブロードキャストマルチキャストサービス（ＭＢＭＳ）サービスを受けるべく要求を受信するための手段と、
第１の周波数において送信している第１のセルから前記第２の周波数において送信している第２のセルへのインター周波数セル再選択を実施するための手段と、前記第２のセルが、前記第１のセルに対するインター周波数ネイバーセルである、
前記第２のセルからシステム情報を受信するための手段と、
前記受信されたシステム情報に基づいて、前記第２の周波数において送信している前記第２のセルが前記ＳＡＩに関連しないと決定するための手段と、
を備え、
前記第２のセルが前記ＳＡＩに関連しないと決定すると、少なくともある時間期間の間、ブラックリスト中に前記第２の周波数に関する前記ＳＡＩをブラックリストするための手段、
によって特徴付けられる、
ワイヤレス通信の装置。
【請求項９】
ユーザ機器（ＵＥ）のモビリティと前記第１および第２のセルの信号品質とに基づいて、前記第２の周波数において送信している前記第２のセルから前記第１の周波数において送信している前記第１のセルへのインター周波数セル再選択を実施するための手段と、
前記第２の周波数に関する前記ＳＡＩがブラックリストされている場合、前記第１のセルのインター周波数ＳＡＩリストから前記第２の周波数に関する前記ＳＡＩを除外した、前記第２の周波数に関連する前記第１のセルの前記インター周波数ＳＡＩリスト、および前記第１の周波数に関連する前記第１のセルのイントラ周波数ＳＡＩリストを、報告するための手段と
をさらに備える、請求項８に記載の装置。
【請求項１０】
前記ＵＥのモビリティと前記第１のセルおよび第３のセルの信号品質とに基づいて、前記第１の周波数において送信している前記第１のセルから前記第２の周波数において送信している前記第３のセルへのインター周波数セル再選択を実施するための手段と、前記第３のセルが、前記第１のセルに対するインター周波数ネイバーセルである、
ブラックリストタイマーを停止し、前記第３のセルのシステム情報が前記第３のセルのイントラ周波数ＳＡＩリスト中に前記第２の周波数に関する前記ＳＡＩを含む場合、前記ブラックリストから前記第２の周波数に関する前記ＳＡＩを削除するための手段と、
前記第２の周波数に関する前記ＳＡＩを除外することなしに、前記第２の周波数に関連する前記第３のセルの前記イントラ周波数ＳＡＩリストを、および前記第３のセルの前記インター周波数ネイバーの各々に関連する前記第３のセルのインター周波数ＳＡＩリストを、報告するための手段と
をさらに備える、請求項９に記載の装置。
【請求項１１】
前記第２の周波数に関する前記ＳＡＩがブラックリストされたとき、ブラックリストタイマーを開始するための手段をさらに備え、
ここにおいて、前記ブラックリストタイマーが満了したとき、前記装置は、
現在のサービングセルが前記現在のサービングセルのシステム情報中に前記第２の周波数に関する前記ＳＡＩを含むかどうかを決定するための手段と、
前記現在のサービングセルが前記現在のサービングセルの前記システム情報中に前記第２の周波数に関する前記ＳＡＩを含む場合、前記第２の周波数に関する前記ＳＡＩを除外することなしに、前記現在のサービングセルのサービング周波数に関連するイントラ周波数ＳＡＩリストと、各ネイバーセルの周波数に関連するインター周波数ＳＡＩリストとを報告するための手段とをさらに備える、請求項８に記載の装置。
【請求項１２】
前記ブラックリストタイマーの持続時間がユーザ機器（ＵＥ）のモビリティに従って構成され、前記ＵＥの前記モビリティが前記ＵＥの移動履歴に基づいて決定される、請求項１１に記載の装置。
【請求項１３】
前記第２のセルが前記第２の周波数に関する前記ＳＡＩに関連しないと前記決定するための前記手段は、
前記第２のセルのイントラ周波数ＳＡＩリストが前記第２の周波数に関する前記ＳＡＩを含まないと決定するようにさらに構成された、請求項８に記載の装置。
【請求項１４】
前記要求されたＭＢＭＳサービスと対応する前記第２の周波数が前記第２のセルの前記第２の周波数と同じであると決定すると、前記第１のセルから前記第２のセルへの前記インター周波数セル再選択を実施することの前に、アクティブ化タイマーを開始するための手段をさらに備え、
ここにおいて、前記第２のセルが再選択された後に、前記ＳＡＩが前記第２のセルの前記第２の周波数のイントラ周波数ＳＡＩリスト中に含まれる場合、前記第２の周波数に関する前記ＳＡＩがブラックリストされず、
ここにおいて、前記アクティブ化タイマーが満了し、前記要求されたＭＢＭＳサービスが前記第２のセル中で提供されないとき、アクティブ化失敗が報告される、請求項８に記載の装置。
【請求項１５】
請求項１〜請求項７のうちのいずれか一項に記載の方法をプロセッサに実施させるためのプロセッサ実行可能命令を備える、コンピュータ可読媒体。
【手続補正２】
【補正対象書類名】明細書
【補正対象項目名】００９９
【補正方法】変更
【補正の内容】
【００９９】
[00119]以上の説明は、当業者が本明細書で説明した様々な態様を実施することができるように提供される。これらの態様に対する様々な変更は当業者には容易に明らかであり、本明細書で定義した一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。本明細書で「例示的」として説明されるいかなる態様も、必ずしも他の態様よりも好適または有利なものと解釈されるべきではない。」別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」ならびに「Ａ、Ｂ、Ｃ、またはそれらの任意の組合せ」などの組合せは、Ａ、Ｂ、および／またはＣのどんな組合せをも含み、複数のＡ、複数のＢ、または複数のＣを含み得る。特に、「Ａ、Ｂ、またはＣのうちの少なくとも１つ」、「Ａ、Ｂ、およびＣのうちの少なくとも１つ」ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣの１つまたは複数のメンバーを含んでいることがある。当業者に知られているかまたは後で知られることになる、本開示全体にわたって説明した様々な態様の要素に対するすべての構造的および機能的均等物は、参照により本明細書に明確に組み込まれ、特許請求の範囲によって包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に本願の出願当初の特許請求の範囲に記載された発明を付記する。
[Ｃ１]  サービスエリア識別情報（ＳＡＩ）と第２の周波数とに関連するマルチメディアブロードキャストマルチキャストサービス（ＭＢＭＳ）サービスを受信するようにとの要求を受信することと、
第１の周波数において送信している第１のセルから前記第２の周波数において送信している第２のセルへのインター周波数セル再選択を実施することと、前記第２のセルが、前記第１のセルに対するインター周波数ネイバーセルである、
前記第２のセルからシステム情報を受信することと、
前記受信されたシステム情報に基づいて、前記第２の周波数において送信している前記第２のセルが前記ＳＡＩに関連しないと決定することと、
前記第２のセルが前記ＳＡＩに関連しないと決定すると、少なくともある時間期間の間、ブラックリスト中に前記第２の周波数上の前記ＳＡＩをブラックリストすることとを備える、ワイヤレス通信の方法。
[Ｃ２]  ユーザ機器（ＵＥ）のモビリティと前記第１および第２のセルの信号品質とに基づいて、前記第２の周波数において送信している前記第２のセルから前記第１の周波数において送信している前記第１のセルへのインター周波数セル再選択を実施することと、
前記第２の周波数上の前記ＳＡＩがブラックリストされた場合、前記第１のセルのインター周波数ＳＡＩリストから前記第２の周波数上の前記ＳＡＩを除外して、前記第１の周波数に関連する前記第１のセルのイントラ周波数ＳＡＩリストと、前記第２の周波数に関連する前記第１のセルの前記インター周波数ＳＡＩリストとを報告することとをさらに備える、Ｃ１に記載の方法。
[Ｃ３]  前記ＵＥのモビリティと前記第１および第３のセルの信号品質とに基づいて、前記第１の周波数において送信している前記第１のセルから前記第２の周波数において送信している前記第３のセルへのインター周波数セル再選択を実施することと、前記第３のセルが、前記第１のセルに対するインター周波数ネイバーセルである、
ブラックリストタイマーを停止することと、前記第３のセルのシステム情報が前記第３のセルのイントラ周波数ＳＡＩリスト中に前記第２の周波数上の前記ＳＡＩを含む場合、前記ブラックリストから前記第２の周波数上の前記ＳＡＩを削除することと、
前記第２の周波数上の前記ＳＡＩを除外することなしに、前記第２の周波数に関連する前記第３のセルの前記イントラ周波数ＳＡＩリストと、前記第３のセルの前記インター周波数ネイバーの各々に関連する前記第３のセルのインター周波数ＳＡＩリストとを報告することとをさらに備える、Ｃ２に記載の方法。
[Ｃ４]  前記第２の周波数上の前記ＳＡＩがブラックリストされたとき、ブラックリストタイマーを開始することをさらに備え、
ここにおいて、前記ブラックリストタイマーが満了したとき、前記方法は、
現在のサービングセルが前記現在のサービングセルのシステム情報中に前記第２の周波数上の前記ＳＡＩを含むかどうかを決定することと、
前記現在のサービングセルが前記現在のサービングセルの前記システム情報中に前記第２の周波数上の前記ＳＡＩを含む場合、前記第２の周波数上の前記ＳＡＩを除外することなしに、前記現在のサービングセルのサービング周波数に関連するイントラ周波数ＳＡＩリストと、各ネイバーセルの周波数に関連するインター周波数ＳＡＩリストとを報告することとをさらに備える、Ｃ１に記載の方法。
[Ｃ５]  前記ブラックリストタイマーの持続時間がユーザ機器（ＵＥ）のモビリティに従って構成され、前記ＵＥの前記モビリティが前記ＵＥの移動履歴に基づいて決定される、Ｃ４に記載の方法。
[Ｃ６]  前記第２のセルが前記第２の周波数上の前記ＳＡＩに関連しないと前記決定することは、
前記第２のセルのイントラ周波数ＳＡＩリストが前記第２の周波数上の前記ＳＡＩを含まないと決定することを備える、Ｃ１に記載の方法。
[Ｃ７]  前記要求されたＭＢＭＳサービスと対応する前記第２の周波数が前記第２のセルの前記第２の周波数と同じであると決定すると、前記第１のセルから前記第２のセルへの前記インター周波数セル再選択を実施することの前に、アクティブ化タイマーを開始することをさらに備え、
ここにおいて、前記第２のセルが再選択された後に、前記ＳＡＩが前記第２のセルの前記第２の周波数のイントラ周波数ＳＡＩリスト中に含まれる場合、前記第２の周波数上の前記ＳＡＩがブラックリストされず、
ここにおいて、前記アクティブ化タイマーが満了し、前記要求されたＭＢＭＳサービスが前記第２のセル中で提供されないとき、アクティブ化失敗が報告される、Ｃ１に記載の方法。
[Ｃ８]  サービスエリア識別情報（ＳＡＩ）と第２の周波数とに関連するマルチメディアブロードキャストマルチキャストサービス（ＭＢＭＳ）サービスを受信するようにとの要求を受信するための手段と、
第１の周波数において送信している第１のセルから前記第２の周波数において送信している第２のセルへのインター周波数セル再選択を実施するための手段と、前記第２のセルが、前記第１のセルに対するインター周波数ネイバーセルである、
前記第２のセルからシステム情報を受信するための手段と、
前記受信されたシステム情報に基づいて、前記第２の周波数において送信している前記第２のセルが前記ＳＡＩに関連しないと決定するための手段と、
前記第２のセルが前記ＳＡＩに関連しないと決定すると、少なくともある時間期間の間、ブラックリスト中に前記第２の周波数上の前記ＳＡＩをブラックリストするための手段とを備える、ワイヤレス通信の装置。
[Ｃ９]  ユーザ機器（ＵＥ）のモビリティと前記第１および第２のセルの信号品質とに基づいて、前記第２の周波数において送信している前記第２のセルから前記第１の周波数において送信している前記第１のセルへのインター周波数セル再選択を実施するための手段と、
前記第２の周波数上の前記ＳＡＩがブラックリストされた場合、前記第１のセルのインター周波数ＳＡＩリストから前記第２の周波数上の前記ＳＡＩを除外して、前記第１の周波数に関連する前記第１のセルのイントラ周波数ＳＡＩリストと、前記第２の周波数に関連する前記第１のセルの前記インター周波数ＳＡＩリストとを報告するための手段とをさらに備える、Ｃ８に記載の装置。
[Ｃ１０]  前記ＵＥのモビリティと前記第１および第３のセルの信号品質とに基づいて、前記第１の周波数において送信している前記第１のセルから前記第２の周波数において送信している前記第３のセルへのインター周波数セル再選択を実施するための手段と、前記第３のセルが、前記第１のセルに対するインター周波数ネイバーセルである、
ブラックリストタイマーを停止し、前記第３のセルのシステム情報が前記第３のセルのイントラ周波数ＳＡＩリスト中に前記第２の周波数上の前記ＳＡＩを含む場合、前記ブラックリストから前記第２の周波数上の前記ＳＡＩを削除するための手段と、
前記第２の周波数上の前記ＳＡＩを除外することなしに、前記第２の周波数に関連する前記第３のセルの前記イントラ周波数ＳＡＩリストと、前記第３のセルの前記インター周波数ネイバーの各々に関連する前記第３のセルのインター周波数ＳＡＩリストとを報告するための手段とをさらに備える、Ｃ９に記載の装置。
[Ｃ１１]  前記第２の周波数上の前記ＳＡＩがブラックリストされたとき、ブラックリストタイマーを開始するための手段をさらに備え、
ここにおいて、前記ブラックリストタイマーが満了したとき、前記装置は、
現在のサービングセルが前記現在のサービングセルのシステム情報中に前記第２の周波数上の前記ＳＡＩを含むかどうかを決定するための手段と、
前記現在のサービングセルが前記現在のサービングセルの前記システム情報中に前記第２の周波数上の前記ＳＡＩを含む場合、前記第２の周波数上の前記ＳＡＩを除外することなしに、前記現在のサービングセルのサービング周波数に関連するイントラ周波数ＳＡＩリストと、各ネイバーセルの周波数に関連するインター周波数ＳＡＩリストとを報告するための手段とをさらに備える、Ｃ８に記載の装置。
[Ｃ１２]  前記ブラックリストタイマーの持続時間がユーザ機器（ＵＥ）のモビリティに従って構成され、前記ＵＥの前記モビリティが前記ＵＥの移動履歴に基づいて決定される、Ｃ１１に記載の装置。
[Ｃ１３]  前記第２のセルが前記第２の周波数上の前記ＳＡＩに関連しないと前記決定するための前記手段は、
前記第２のセルのイントラ周波数ＳＡＩリストが前記第２の周波数上の前記ＳＡＩを含まないと決定するようにさらに構成された、Ｃ８に記載の装置。
[Ｃ１４]  前記要求されたＭＢＭＳサービスと対応する前記第２の周波数が前記第２のセルの前記第２の周波数と同じであると決定すると、前記第１のセルから前記第２のセルへの前記インター周波数セル再選択を実施することの前に、アクティブ化タイマーを開始するための手段をさらに備え、
ここにおいて、前記第２のセルが再選択された後に、前記ＳＡＩが前記第２のセルの前記第２の周波数のイントラ周波数ＳＡＩリスト中に含まれる場合、前記第２の周波数上の前記ＳＡＩがブラックリストされず、
ここにおいて、前記アクティブ化タイマーが満了し、前記要求されたＭＢＭＳサービスが前記第２のセル中で提供されないとき、アクティブ化失敗が報告される、Ｃ８に記載の装置。
[Ｃ１５]  メモリと、
前記メモリに結合された少なくとも１つのプロセッサとを備え、前記少なくとも１つのプロセッサは、
サービスエリア識別情報（ＳＡＩ）と第２の周波数とに関連するマルチメディアブロードキャストマルチキャストサービス（ＭＢＭＳ）サービスを受信するようにとの要求を受信することと、
第１の周波数において送信している第１のセルから前記第２の周波数において送信している第２のセルへのインター周波数セル再選択を実施することと、前記第２のセルが、前記第１のセルに対するインター周波数ネイバーセルである、
前記第２のセルからシステム情報を受信することと、
前記受信されたシステム情報に基づいて、前記第２の周波数において送信している前記第２のセルが前記ＳＡＩに関連しないと決定することと、
前記第２のセルが前記ＳＡＩに関連しないと決定すると、少なくともある時間期間の間、ブラックリスト中に前記第２の周波数上の前記ＳＡＩをブラックリストすることとを行うように構成された、ワイヤレス通信の装置。
[Ｃ１６]  前記少なくとも１つのプロセッサは、
ユーザ機器（ＵＥ）のモビリティと前記第１および第２のセルの信号品質とに基づいて、前記第２の周波数において送信している前記第２のセルから前記第１の周波数において送信している前記第１のセルへのインター周波数セル再選択を実施することと、
前記第２の周波数上の前記ＳＡＩがブラックリストされた場合、前記第１のセルのインター周波数ＳＡＩリストから前記第２の周波数上の前記ＳＡＩを除外して、前記第１の周波数に関連する前記第１のセルのイントラ周波数ＳＡＩリストと、前記第２の周波数に関連する前記第１のセルの前記インター周波数ＳＡＩリストとを報告することとを行うようにさらに構成された、Ｃ１５に記載の装置。
[Ｃ１７]  前記少なくとも１つのプロセッサは、
前記ＵＥのモビリティと前記第１および第３のセルの信号品質とに基づいて、前記第１の周波数において送信している前記第１のセルから前記第２の周波数において送信している前記第３のセルへのインター周波数セル再選択を実施することと、前記第３のセルが、前記第１のセルに対するインター周波数ネイバーセルである、
ブラックリストタイマーを停止することと、前記第３のセルのシステム情報が前記第３のセルのイントラ周波数ＳＡＩリスト中に前記第２の周波数上の前記ＳＡＩを含む場合、前記ブラックリストから前記第２の周波数上の前記ＳＡＩを削除することと、
前記第２の周波数上の前記ＳＡＩを除外することなしに、前記第２の周波数に関連する前記第３のセルの前記イントラ周波数ＳＡＩリストと、前記第３のセルの前記インター周波数ネイバーの各々に関連する前記第３のセルのインター周波数ＳＡＩリストとを報告することとを行うようにさらに構成された、Ｃ１６に記載の装置。
[Ｃ１８]  前記少なくとも１つのプロセッサは、
前記第２の周波数上の前記ＳＡＩがブラックリストされたとき、ブラックリストタイマーを開始するようにさらに構成され、
ここにおいて、前記ブラックリストタイマーが満了したとき、前記少なくとも１つのプロセッサは、
現在のサービングセルが前記現在のサービングセルのシステム情報中に前記第２の周波数上の前記ＳＡＩを含むかどうかを決定することと、
前記現在のサービングセルが前記現在のサービングセルの前記システム情報中に前記第２の周波数上の前記ＳＡＩを含む場合、前記第２の周波数上の前記ＳＡＩを除外することなしに、前記現在のサービングセルのサービング周波数に関連するイントラ周波数ＳＡＩリストと、各ネイバーセルの周波数に関連するインター周波数ＳＡＩリストとを報告することとを行うようにさらに構成された、Ｃ１５に記載の装置。
[Ｃ１９]  前記ブラックリストタイマーの持続時間がユーザ機器（ＵＥ）のモビリティに従って構成され、前記ＵＥの前記モビリティが前記ＵＥの移動履歴に基づいて決定される、Ｃ１８に記載の装置。
[Ｃ２０]  前記第２のセルが前記第２の周波数上の前記ＳＡＩに関連しないと決定するように構成された前記少なくとも１つのプロセッサは、
前記第２のセルのイントラ周波数ＳＡＩリストが前記第２の周波数上の前記ＳＡＩを含まないと決定するようにさらに構成された、Ｃ１５に記載の装置。
[Ｃ２１]  前記少なくとも１つのプロセッサは、
前記要求されたＭＢＭＳサービスと対応する前記第２の周波数が前記第２のセルの前記第２の周波数と同じであると決定すると、前記第１のセルから前記第２のセルへの前記インター周波数セル再選択を実施することの前に、アクティブ化タイマーを開始するようにさらに構成され、
ここにおいて、前記第２のセルが再選択された後に、前記ＳＡＩが前記第２のセルの前記第２の周波数のイントラ周波数ＳＡＩリスト中に含まれる場合、前記第２の周波数上の前記ＳＡＩがブラックリストされず、
ここにおいて、前記アクティブ化タイマーが満了し、前記要求されたＭＢＭＳサービスが前記第２のセル中で提供されないとき、アクティブ化失敗が報告される、Ｃ１５に記載の装置。
[Ｃ２２]  サービスレイヤにおいて、少なくとも１つの周波数に対応する少なくとも１つのサービスエリア識別情報（ＳＡＩ）を示すシステム情報ブロックタイプ１５（ＳＩＢ１５）を受信することと、
前記サービスレイヤにおいて、少なくとも１つのＳＡＩと少なくとも１つの周波数とに対応する少なくとも１つの発展型マルチメディアブロードキャストマルチキャストサービス（ｅＭＢＭＳ）サービスを示すユーザサービス記述（ＵＳＤ）を検出することと、
前記サービスレイヤにおいて前記ＵＳＤを前記ＳＩＢ１５と相関させることと、前記相関に基づいて少なくとも１つの利用可能なｅＭＢＭＳサービスを決定することと、
モデムレイヤから受信された情報に基づいて前記サービスレイヤにおいて、サービングセルがサービング周波数において利用可能なｅＭＢＭＳサービスを提供することが可能であるかどうかを決定することとを備える、ワイヤレス通信の方法。
[Ｃ２３]  前記サービスレイヤから前記モデムレイヤに、前記サービング周波数において前記サービングセル中で利用可能なｅＭＢＭＳサービスについての要求を送ることと。
前記モデムレイヤにおいて、前記サービング周波数において送信している前記サービングセルがどんなｅＭＢＭＳサービスも提供しないと決定することと、
前記決定に基づいて、前記モデムレイヤから前記サービスレイヤに、前記サービング周波数に関連するＳＡＩリストを送ることと、前記ＳＡＩリストは、前記ＳＡＩリスト中の各ＳＡＩが前記サービングセルによって提供されないという指示を含む、
前記サービスレイヤにおいて、前記ＳＡＩリストに基づいて前記サービングセルが前記要求されたｅＭＢＭＳサービスを提供することが可能でないと決定することとをさらに備える、Ｃ２２に記載の方法。
[Ｃ２４]  前記サービスレイヤが、前記ＳＡＩリストに基づいて前記サービングセルが前記要求されたｅＭＢＭＳサービスを提供することが可能でないと決定することは、前記ＳＡＩリスト中のＳＡＩに対応する一時的モバイルグループ識別情報（ＴＭＧＩ）が前記サービングセルによって提供されないと決定することを備える、Ｃ２３に記載の方法。
[Ｃ２５]  前記モデムレイヤから前記サービスレイヤに、前記サービング周波数に関連するＳＡＩリストを送ることと、
前記モデムレイヤにおいて、前記サービングセルによって提供される１つまたは複数のＴＭＧＩを備え前記サービング周波数に関連する一時的モバイルグループ識別情報（ＴＭＧＩ）リストを決定することと、
前記モデムレイヤから前記サービスレイヤに前記決定されたＴＭＧＩリストを送ることと、
前記サービスレイヤにおいて、前記ＳＡＩリストと前記決定されたＴＭＧＩリストとに基づいて前記サービングセルが要求されたｅＭＢＭＳサービスを提供するかどうかを決定することとをさらに備える、Ｃ２２に記載の方法。
[Ｃ２６]  前記サービスレイヤは、前記ＴＭＧＩリスト中に含まれるＴＭＧＩが前記サービングセルから利用可能であると決定し、
前記サービスレイヤは、前記ＳＡＩリスト中に含まれるＳＡＩが、前記ＴＭＧＩリスト中に含まれるＴＭＧＩに対応するとき、前記ＳＡＩが前記サービングセルから利用可能であると決定する、Ｃ２５に記載の方法。
[Ｃ２７]  前記サービングセルが前記要求されたｅＭＢＭＳサービスを提供しない場合、サービスアクティブ化要求が前記サービスレイヤから前記モデムレイヤに送られない、Ｃ２５に記載の方法。